(57)【要約】【課題】コンパクトな構造でありながら、浄水カートリッジのろ材の内側を殺菌することができる携帯型浄水器を提供する。【解決手段】この携帯型浄水器１は、開口部と底部を有し柔軟な筒状の容器本体２と、容器本体２の開口部側に着脱自在に装着され得、貫通孔３ｂａが形成された突起部３ｂを有する内蓋体３と、内蓋体３に着脱自在に装着され得る外蓋体４と、中空部５１ａが形成されたろ材５１とそれを収容するろ材収容体５２を有し、ろ材収容体５２はろ材５１の中空部５１ａに連通する流路５２ｂが形成された円筒状の突起部５２ａを有し、突起部５２ａが内蓋体３の内側からでも外側からでも内蓋体３の突起部３ｂの貫通孔３ｂａに装着され固定され得る浄水カートリッジ５と、内蓋体３に取り付けられ、空気を外部から内蓋体３の内側への一方向のみに流し得る空気逆止弁６と、を備える。【選択図】図１
2020110735.tif 000002
【特許請求の範囲】
【請求項１】
開口部と底部を有し柔軟な筒状の容器本体と、
該容器本体の開口部側に着脱自在に装着され得、貫通孔が形成された突起部を有する内蓋体と、
該内蓋体に着脱自在に装着され得る外蓋体と、
中空部が形成されたろ材とそれを収容するろ材収容体を有し、該ろ材収容体は前記ろ材の前記中空部に連通する流路が形成された円筒状の突起部を有し、該突起部が前記内蓋体の内側からでも外側からでも前記内蓋体の前記突起部の前記貫通孔に装着され固定され得る浄水カートリッジと、
前記内蓋体に取り付けられ、空気を外部から前記内蓋体の内側への一方向のみに流し得る空気逆止弁と、
を備えることを特徴とする携帯型浄水器。
【請求項２】
請求項１に記載の携帯型浄水器において、
前記外蓋体は、前記内蓋体の前記突起部の外周面に装着されることを特徴とする携帯型浄水器。
【請求項３】
請求項１又は２に記載の携帯型浄水器において、
前記外蓋体は、前記内蓋体の側部を囲み得る側部を有したコップ形状であることを特徴とする携帯型浄水器。
【請求項４】
請求項１〜３のいずれか１項に記載の携帯型浄水器において、
前記容器本体は、側部に環状の窪み部が２個以上形成されていることを特徴とする携帯型浄水器。
【発明の詳細な説明】
【技術分野】
【０００１】
本発明は、携帯型浄水器に関する。
【背景技術】
【０００２】
携帯型浄水器は、容器とそれに取り付けられた浄水カートリッジとを有しており、水道水などの原水を容器に入れ、原水を浄水カートリッジにより浄化（浄水）するものである。携帯型浄水器は、浄水のための加圧手段を有さないものと加圧手段を有するものが有る。加圧手段を有さないもの（例えば、特許文献１など）は、携帯型浄水器の普段の又は故意の揺れによって、水を浄水カートリッジの浄化材に接触させて浄化するものである。加圧手段を有するもの（例えば、特許文献２など）は、柔軟な加圧手段を把持して圧縮することによって、水を浄水カートリッジの浄化材（ろ材）を通過させ、原水に含まれる塩素、細菌、無機粒子などの不純物を捕捉させることによって浄化するものである。
【０００３】
特許文献２に開示される携帯型浄水器は、加圧手段として容器の筒状の容器本体に柔軟な部分を有するようにし、この部分を圧縮することにより加圧された水を、浄水カートリッジのろ材の外側から内側に通過させ、ろ材の内側の一方側に設けた吸い口から外部（口内など）に浄水を流出させる。容器本体が加圧手段となっており、また、吸い口が設けられているので、コンパクトな構造であり、屋外などでの使用に好適である。
【先行技術文献】
【特許文献】
【０００４】
【特許文献１】特開２０１３−１５８６５９号公報
【特許文献２】米国特許第６００４４６０号公報
【発明の概要】
【発明が解決しようとする課題】
【０００５】
しかし、特許文献２に開示されているように吸い口が設けられた携帯型浄水器は、唾液などに付着した細菌などが、吸い口から浄水カートリッジのろ材の内側に入り込んで繁殖する可能性も有る。浄水カートリッジのろ材の内側は、水道水に含まれる塩素が取り除かれているので、殺菌され難い環境となっている。
【０００６】
本発明は係る事由に鑑みてなされたものであり、その目的は、コンパクトな構造でありながら、浄水カートリッジのろ材の内側を殺菌することができる携帯型浄水器を提供することにある。
【課題を解決するための手段】
【０００７】
上記目的を達成するために、請求項１に記載の携帯型浄水器は、開口部と底部を有し柔軟な筒状の容器本体と、該容器本体の開口部側に着脱自在に装着され得、貫通孔が形成された突起部を有する内蓋体と、該内蓋体に着脱自在に装着され得る外蓋体と、中空部が形成されたろ材とそれを収容するろ材収容体を有し、該ろ材収容体は前記ろ材の前記中空部に連通する流路が形成された円筒状の突起部を有し、該突起部が前記内蓋体の内側からでも外側からでも前記内蓋体の前記突起部の前記貫通孔に装着され固定され得る浄水カートリッジと、前記内蓋体に取り付けられ、空気を外部から前記内蓋体の内側への一方向のみに流し得る空気逆止弁と、を備えることを特徴とする。
【０００８】
請求項２に記載の携帯型浄水器は、請求項１に記載の携帯型浄水器において、前記外蓋体は、前記内蓋体の前記突起部の外周面に装着されることを特徴とする。
【０００９】
請求項３に記載の携帯型浄水器は、請求項１又は２に記載の携帯型浄水器において、前記外蓋体は、前記内蓋体の側部を囲み得る側部を有したコップ形状であることを特徴とする。
【００１０】
請求項４に記載の携帯型浄水器は、請求項１〜３のいずれか１項に記載の携帯型浄水器において、前記容器本体は、側部に環状の窪み部が２個以上形成されていることを特徴とする。
【発明の効果】
【００１１】
本発明の携帯型浄水器によれば、コンパクトな構造でありながら、浄水カートリッジのろ材の内側を殺菌することができる。
【図面の簡単な説明】
【００１２】
【図１】本発明の実施形態に係る携帯型浄水器を示す断面図である。
【図２】同上の携帯型浄水器の容器本体を示す正面図である。
【図３】同上の携帯型浄水器の内蓋体（空気逆止弁付き）を示すものであって、（ａ）が平面図、（ｂ）が正面図である。
【図４】同上の携帯型浄水器の外蓋体を示すものであって、（ａ）が正面図、（ｂ）が底面図である。
【図５】同上の携帯型浄水器の浄水カートリッジを示すものであって、（ａ）が平面図、（ｂ）が正面図である。
【図６】同上の携帯型浄水器の空気逆止弁を拡大して示す断面図であって、（ａ）が逆止弁体の摺動部分が含まれる切断面で切断した空気が導入されない状態の断面図、（ｂ）が逆止弁体の摺動部分が含まれない切断面で切断した空気が導入されない状態の断面図、（ｃ）が逆止弁体の摺動部分が含まれない切断面で切断した空気が導入される状態の断面図である。
【図７】同上の携帯型浄水器の浄水カートリッジの洗浄時の状態を示す断面図である。
【図８】同上の携帯型浄水器の浄水カートリッジの洗浄時の水の流れを模式的に示す断面図である。
【発明を実施するための形態】
【００１３】
以下、本発明を実施するための形態を説明する。本発明の実施形態に係る携帯型浄水器１は、図１に示すように、容器本体２と内蓋体３と外蓋体４と浄水カートリッジ５と空気逆止弁６とを備えている。
【００１４】
容器本体２は、図１及び図２に示すように、柔軟なものであって、開口部と底部を有する筒状のものである。詳しくは、柔軟なものとは、容器本体２を把持して力を入れると圧縮変形し、力を緩めると形状が復元するようなものである。容器本体２の材質は、特に限定されるものではないが、例えば、柔軟なポリエチレンなどを用いることができる。容器本体２は、水道水などの原水を入れるように、一方側（図１及び図２においては上側）に開口部を有し、他方側に底部を有している。容器本体２の底部は、携帯型浄水器１全体の底部となる。携帯型浄水器１は、図１に示すように、その底部を下にして直立することができる。
【００１５】
容器本体２は、その一方側（開口部側）において、後に詳述する内蓋体３が着脱自在に装着される。そのため、容器本体２は、一方側の端部近傍の外側部に雄ねじ２ａが形成されている。
【００１６】
容器本体２は、側部に２個以上の環状の窪み部２ｂ、２ｂ’が形成されているのが好ましい。そうすると、容器本体２は、窪み部２ｂ、２ｂ’から底部の間の部分を把持して圧縮したときに、窪み部２ｂ、２ｂ’から一方側の端までの間の部分及び内蓋体３の装着部近傍が変形し難くなる。それにより、内蓋体３の装着部での漏水等の不具合の可能性をなくすようにすることができる。
【００１７】
内蓋体３は、上述したように、容器本体２の一方側（開口部側）に着脱自在に装着され得るものである。内蓋体３は、有底筒状をなしている。詳細には、内蓋体３は、図１に示すように、他方側（図１においては下側）の端部近傍の内側部に雌ねじ３ａが形成されており、その雌ねじ３ａと容器本体２の雄ねじ２ａの螺着により、内蓋体３は容器本体２の一方側の端部近傍の外側部を囲むように装着される。また、内蓋体３には、容器本体２の一方側（開口部側）の端部が当接する環状のゴムパッキン３Ａがその嵌め込み箇所に嵌め込まれている。なお、内蓋体３（及び外蓋体４）は、容器本体２のように柔軟である必要はなく、通常は、硬い（変形し難い）ものである。内蓋体３（及び外蓋体４）の材質は、特に限定されるものではないが、例えば、ポリプロピレンなどを用いることができる。
【００１８】
また、内蓋体３は、図１及び図３（ａ）、（ｂ）に示すように、突起部（内蓋体突起部）３ｂを有する。突起部３ｂは、内蓋体３の一方側（図１及び図３（ｂ）においては上側）の中央部に設けられている。内蓋体突起部３ｂは、円筒形又は角筒形とすることができる。
【００１９】
内蓋体突起部３ｂには、その軸方向に貫通孔３ｂａが形成されている(図３（ａ）参照)。貫通孔３ｂａは、浄水カートリッジ５の後述するろ材収容体突起部５２ａが装着されそれを固定できるような構造になっており、詳細には雌ねじが形成されている。
【００２０】
外蓋体４は、内蓋体３の一方側（図１においては上側）において着脱自在に装着され得るものである。外蓋体４は、内蓋体３の内蓋体突起部３ｂの外周面に装着されるようにできる。詳細には、外蓋体４には、図１及び図４（ａ）、（ｂ）に示すように、内蓋体３の内蓋体突起部３ｂの外周面に嵌め合わし得る円筒形又は角筒形の突起部（外蓋体突起部）４ａを有するようにすることができる。内蓋体３の内蓋体突起部３ｂの外周面には、外蓋体突起部４ａが密接するＯリング３Ｂがその嵌め込み箇所に嵌め込まれている。
【００２１】
外蓋体４は、具体的には、内蓋体３の側部を囲み得る側部４ｂを有したコップ形状であることが好ましい。これは、外蓋体４をコップとして使用できるようにするためである。なお、コップとして使用可能にしないのならば、外蓋体４を、外蓋体突起部４ａの近傍だけにすることも可能である。
【００２２】
浄水カートリッジ５は、ろ材５１とろ材収容体５２を有する。
【００２３】
ろ材５１は、中空部５１ａが形成されている。ろ材５１は、詳細には、長尺の円筒状のものを用いることができる。ろ材５１は、特に材料は限定されないが、活性炭成形フィルター、中空糸膜、平膜、セラミック膜、積層フィルター、糸巻フィルター、金属フィルターなどが可能である。
【００２４】
ろ材収容体５２は、ろ材５１を収容するものである。ろ材収容体５２は、ろ材５１の形状に応じて、図１及び図５（ａ）、（ｂ）に示すように、円筒状のものを用いることができる。また、ろ材収容体５２は、ろ材５１を交換可能に収容するように、一方側と他方側に（図１においては上下に）分離可能にすることができる。
【００２５】
ろ材収容体５２は、円筒状の突起部（ろ材収容体突起部）５２ａを有する。ろ材収容体突起部５２ａは、ろ材収容体５２の一方側（図１及び図５（ｂ）においては上側）の中央部に設けられている。ろ材収容体突起部５２ａには、その軸方向に、ろ材５１の中空部５１ａに連通する流路５２ｂが形成されている。流路５２ｂの端部（中空部５１ａ側の反対側の端部）は、浄水が流出する浄水口５２ｂａとなる。ろ材収容体突起部５２ａは、内蓋体３の内側から内蓋体突起部３ｂの貫通孔３ｂａに装着され固定できる構造になっており、詳細には、雄ねじが形成されていて貫通孔３ｂａの雌ねじに螺着する。ろ材収容体突起部５２ａは、後述するように浄水カートリッジ５を洗浄できるように、内蓋体３の外側からでも、つまり逆向きでも、内蓋体突起部３ｂの貫通孔３ｂａに装着され固定可能である。
【００２６】
ろ材収容体５２は、その側部には、原水が流入する複数個の流入口５２ｃが形成されている。ろ材収容体５２の他方側（図１及び図５（ｂ）においては下側）は、ろ材５１の中空部５１ａの他方側開口部を塞いでいる。
【００２７】
空気逆止弁６は、内蓋体３に取り付けられている。空気逆止弁６は、空気を外部から内蓋体３の内側への一方向のみに流し得るものである。空気逆止弁６は、特に構造が限定されるものではないが、図６（ａ）に示すように、逆止弁室部材６１により形成される逆止弁室６１ａの中に逆止弁体６２が設けられているものを用いることができる。逆止弁室部材６１には、外部と逆止弁室６１ａとを連通し得る空気路６１ｂが形成されている。また、空気逆止弁６が取り付けられた内蓋体３の部分には、内蓋体３の内側と逆止弁室６１ａとを連通する空気路３ｃが形成されている。また、逆止弁体６２は、逆止弁室部材６１の内壁に沿って摺動するように摺動部分６２ａが複数箇所（例えば、４箇所）設けられている。図６（ｂ）に示すのは摺動部分６２ａが含まれない切断面で切断した断面図である。
【００２８】
逆止弁体６２は、内蓋体３の内側の空気圧が外部と等しい或いは外部よりも大きいと、空気路６１ｂを塞ぐ（図６（ａ）、（ｂ）参照）。逆止弁体６２は、空気路６１ｂを塞いで逆止弁室部材６１に密接し易い材質のものであり、例えば、シリコーンゴムなどを用いることができる。逆止弁体６２は、内蓋体３の内側の空気圧が外部よりも小さいと、図６（ｃ）に示すように、空気路６１ｂを開放し、空気は、外部から逆止弁室６１ａを通って内蓋体３の内側に導入される。
【００２９】
このような構成の携帯型浄水器１は、以下のようにして使用することができる。すなわち、先ず、内蓋体３（及び外蓋体４）を容器本体２から取り外して水道水などの原水を注入する。その後、内蓋体３及び外蓋体４を装着すると、携帯型浄水器１は持ち運びが可能である。飲料時には、外蓋体４を内蓋体３から取り外し、携帯型浄水器１の容器本体２を圧縮すると、浄水口５２ｂａから浄水が流出する。このとき、浄水カートリッジ５では、複数個の流入口５２ｃから加圧された原水が流入し、原水に塩素、微生物（細菌やバクテリアなど）、無機粒子などの不純物が含まれた場合、それらがろ材５１に捕捉され、浄水となる。浄水は、中空部５１ａ及び流路５２ｂを通って浄水口５２ｂａから流出する。また、このとき、空気逆止弁６の空気路６１ｂは、塞がった状態であり、内部の空気或いは原水は、空気路６１ｂを通って外部に流出することはない。
【００３０】
浄水口５２ｂａから流出する浄水は、浄水口５２ｂａを口に含んで飲むことが可能である。また、外蓋体４をコップとして使用する場合は、浄水を外蓋体４に注いで飲むことが可能である。浄水を外蓋体４に注いで飲むと、より衛生的になる。
【００３１】
容器本体２の圧縮を終えると、浄水の流出が止まる。また、そうすると、容器本体２の形状が復元し、空気逆止弁６の空気路６１ｂが開放されて容器本体２（及び内蓋体３）の内側に空気が導入される。
【００３２】
このように、携帯型浄水器１は、内蓋体３に装着された浄水カートリッジ５の浄水口５２ｂａから外部に浄水を流出させて使用するので、コンパクトな構造となっている。
【００３３】
携帯型浄水器１は、以下のようにして浄水カートリッジ５を洗浄することができる。すなわち、先ず、内蓋体３及び外蓋体４を容器本体２から取り外し、水道水を容器本体２注入する。浄水カートリッジ５を内蓋体３から分離させる。そして、図７に示すように、浄水カートリッジ５のろ材収容体突起部５２ａを内蓋体３の内蓋体突起部３ｂの貫通孔３ｂａに逆向きに装着して固定、つまり、浄水カートリッジ５を内蓋体３に逆向きに取り付けて、内蓋体３を容器本体２に装着する。そして、シンク等の場所で、携帯型浄水器１を逆さに又は斜めに傾けて容器本体２を圧縮すると、加圧された水道水が、図８に示す矢印付き破線のように、浄水口５２ｂａから逆向きに浄水カートリッジ５の流路５２ｂ及び中空部５１ａに流入し、ろ材５１を内側から外側に向かって通過して、浄水カートリッジ５の外に排出される。このとき、ろ材５１に補足され蓄積された不純物は浄水カートリッジ５の外に排出され、それとともに、ろ材５１の内側近傍は、水道水に含まれる塩素によって殺菌される。
【００３４】
以上、本発明の実施形態に係る携帯型浄水器について説明したが、本発明は、上述の実施形態に記載したものに限られることなく、特許請求の範囲に記載した事項の範囲内でのさまざまな設計変更が可能である。
【符号の説明】
【００３５】
１    携帯型浄水器
２    容器本体
２ａ  容器本体の雄ねじ
２ｂ、２ｂ’  容器本体の窪み部
３    内蓋体
３ａ  内蓋体の側部の雌ねじ
３ｂ  内蓋体の突起部（内蓋体突起部）
３ｂａ  内蓋体の突起部の貫通孔
３ｃ  内蓋体の空気路
３Ａ  ゴムパッキン
３Ｂ  Ｏリング
４    外蓋体
４ａ  外蓋体の突起部（外蓋体突起部）
４ｂ  外蓋体の側部
５    浄水カートリッジ
５１  ろ材
５１ａ  ろ材の中空部
５２  ろ材収容体
５２ａ  ろ材収容体の突起部（ろ材収容体突起部）
５２ｂ  ろ材収容体の流路
５２ｂａ  浄水口
５２ｃ  ろ材収容体の流入口
６    空気逆止弁
６１  逆止弁室部材
６１ａ  逆止弁室
６１ｂ  逆止弁室部材の空気路
６２  逆止弁体
６２ａ  逆止弁体の摺動部分
【図１】
2020110735.tif 000003
【図２】
2020110735.tif 000004
【図３】
2020110735.tif 000005
【図４】
2020110735.tif 000006
【図５】
2020110735.tif 000007
【図６】
2020110735.tif 000008
【図７】
2020110735.tif 000009
【図８】
2020110735.tif 000010